(57)【要約】【課題】  保護シールが貼り付けられる記録媒体の設定の煩雑化を低減させ、利便性を向上し得る画像形成装置、画像形成システム及びプログラムを提供すること。【解決手段】  用紙を出力させるジョブ情報の入力指示を受け付ける操作表示部１１４と、操作表示部１１４により受け付けられたジョブ情報に基づいて、用紙毎にファイル用の孔を補強する保護シールの貼り付け有無の指示を設定し、設定した当該指示を出力させる本体制御部１１０と、を備える画像形成装置１０。【選択図】図１
2008001436.tif 000002
【特許請求の範囲】
【請求項１】
記録媒体を出力させる出力要求情報の入力指示を受け付ける情報入力手段と、
前記情報入力手段により受け付けられた前記出力要求情報に基づいて、記録媒体毎にファイル用の孔を補強する補強部材の貼り付け有無の指示を設定して出力する制御手段と、
を備えること、
を特徴とするとする画像形成装置。
【請求項２】
前記出力要求情報は、前記記録媒体の斤量を示す情報を含み、
前記制御手段は、
予め設定された斤量以下の前記記録媒体に対して、前記補強部材の貼り付け有りの指示を設定すること、
を特徴とする請求項１記載の画像形成装置。
【請求項３】
前記出力要求情報は、後にＺ折り処理される前記記録媒体を含むか否かを示す情報を含み、
前記制御手段は、
前記Ｚ折り処理される前記記録媒体に対して、前記補強部材の貼り付け有りの指示を設定すること、
を特徴とする請求項１又は２記載の画像形成装置。
【請求項４】
前記出力要求情報は、特殊シートである前記記録媒体を含むか否かを示す情報を含み、
前記制御手段は、
前記特殊シートである前記記録媒体に対して、前記補強部材の貼り付け有りの指示を設定すること、
を特徴とする請求項１又は２記載の画像形成装置。
【請求項５】
前記出力要求情報は、差込シートである前記記録媒体を含むか否かを示す情報を含み、
前記制御手段は、
前記差込シートである前記記録媒体に対して、前記補強部材の貼り付け有りの指示を設定すること、
を特徴とする請求項１又は２に記載の画像形成装置。
【請求項６】
前記出力要求情報は、前記記録媒体毎のサイズを示す情報と、複数の前記記録媒体から成り、他の記録媒体のサイズと異なるサイズの記録媒体を含む記録媒体群が構成される混載モードであるか否かを示す情報と、含み、
前記制御手段は、
前記出力要求情報が前記混載モードであることを示す情報を含んでいると判別した場合、前記記録媒体群を構成する記録媒体のうち、最もサイズの大きい記録媒体に対して、前記補強部材の貼り付け有りの指示を設定すること、
を特徴とする請求項１又は２に記載の画像形成装置。
【請求項７】
前記制御手段により設定された前記記録媒体毎の前記補強部材の貼り付け有無の指示に対する変更指示を受け付ける変更指示入力手段を備え、
前記制御手段は、
前記変更指示入力手段により受け付けられた前記変更指示に基づいて、記前記記録媒体毎の前記補強部材の貼り付け有無の指示を変更すること、
を特徴とする請求項１から６のいずれか一項に記載の画像形成装置。
【請求項８】
記録媒体を出力させる出力要求情報の入力指示を受け付ける情報入力手段、前記情報入力手段により受け付けられた前記出力要求情報に基づいて、記録媒体毎にファイル用の孔を補強する補強部材の貼り付け有無の指示を設定して出力する制御手段、を備える画像形成装置と、
前記記録媒体毎にファイル用の孔を空ける穿孔手段及び当該孔を補強する補強部材を前記記録媒体に押圧して貼り付ける補強手段を有する穿孔ユニットを備え、前記画像形成装置から出力される指示に基づいて前記穿孔ユニットを駆動させる後処理装置と、
を備えること、
を特徴とするとする画像形成システム。
【請求項９】
前記出力要求情報は、前記記録媒体の斤量を示す情報を含み、
前記制御手段は、
予め設定された斤量以下の前記記録媒体に対して、前記補強部材の貼り付け有りの指示を設定すること、
を特徴とする請求項８記載の画像形成システム。
【請求項１０】
前記出力要求情報は、後にＺ折り処理される前記記録媒体を含むか否かを示す情報を含み、
前記制御手段は、
前記Ｚ折り処理される前記記録媒体に対して、前記補強部材の貼り付け有りの指示を設定すること、
を特徴とする請求項８又は９記載の画像形成システム。
【請求項１１】
前記出力要求情報は、特殊シートである前記記録媒体を含むか否かを示す情報を含み、
前記制御手段は、
前記特殊シートである前記記録媒体に対して、前記補強部材の貼り付け有りの指示を設定すること、
を特徴とする請求項８又は９記載の画像形成システム。
【請求項１２】
前記出力要求情報は、差込シートである前記記録媒体を含むか否かを示す情報を含み、
前記制御手段は、
前記差込シートである前記記録媒体に対して、前記補強部材の貼り付け有りの指示を設定すること、
を特徴とする請求項８又は９に記載の画像形成システム。
【請求項１３】
前記出力要求情報は、
前記記録媒体毎のサイズを示す情報と、複数の前記記録媒体から成り、他の記録媒体のサイズと異なるサイズの記録媒体を含む記録媒体群が構成される混載モードであるか否かを示す情報と、含み、
前記制御手段は、
前記出力要求情報が前記混載モードであることを示す情報を含んでいると判別した場合、前記記録媒体群を構成する記録媒体のうち、最もサイズの大きい記録媒体に対して、前記補強部材の貼り付け有りの指示を設定すること、
を特徴とする請求項８又は９に記載の画像形成システム。
【請求項１４】
前記制御手段により設定された前記記録媒体毎の前記補強部材の貼り付け有無の指示に対する変更指示を受け付ける変更指示入力手段を備え、
前記制御手段は、
前記変更指示入力手段により受け付けられた前記変更指示に基づいて、記前記記録媒体毎の前記補強部材の貼り付け有無の指示を変更すること、
を特徴とする請求項８から１３のいずれか一項に記載の画像形成システム。
【請求項１５】
コンピュータを、
記録媒体を出力させる出力要求情報の入力指示を受け付ける情報入力手段、
前記情報入力手段により受け付けられた前記出力要求情報に基づいて、記録媒体毎にファイル用の孔を補強する補強部材の貼り付け有無の指示を設定して出力する制御手段、
として機能させるためのプログラム。
【請求項１６】
前記出力要求情報は、前記記録媒体の斤量を示す情報を含み、
前記制御手段は、
予め設定された斤量以下の前記記録媒体に対して、前記補強部材の貼り付け有りの指示を設定すること、
を特徴とする請求項１５記載のプログラム。
【請求項１７】
前記出力要求情報は、後にＺ折り処理される前記記録媒体を含むか否かを示す情報を含み、
前記制御手段は、
前記Ｚ折り処理される前記記録媒体に対して、前記補強部材の貼り付け有りの指示を設定すること、
を特徴とする請求項１５又は１６記載のプログラム。
【請求項１８】
前記出力要求情報は、特殊シートである前記記録媒体を含むか否かを示す情報を含み、
前記制御手段は、
前記特殊シートである前記記録媒体に対して、前記補強部材の貼り付け有りの指示を設定すること、
を特徴とする請求項１５又は１６記載のプログラム。
【請求項１９】
前記出力要求情報は、差込シートである前記記録媒体を含むか否かを示す情報を含み、
前記制御手段は、
前記差込シートである前記記録媒体に対して、前記補強部材の貼り付け有りの指示を設定すること、
を特徴とする請求項１５又は１６に記載のプログラム。
【請求項２０】
前記出力要求情報は、前記記録媒体毎のサイズを示す情報と、複数の前記記録媒体から成り、他の記録媒体のサイズと異なるサイズの記録媒体を含む記録媒体群が構成される混載モードであるか否かを示す情報と、含み、
前記制御手段は、
前記出力要求情報が前記混載モードであることを示す情報を含んでいると判別した場合、前記記録媒体群を構成する記録媒体のうち、最もサイズの大きい記録媒体に対して、前記補強部材の貼り付け有りの指示を設定すること、
を特徴とする請求項１５又は１６に記載のプログラム。
【請求項２１】
前記制御手段により設定された前記記録媒体毎の前記補強部材の貼り付け有無の指示に対する変更指示を受け付ける変更指示入力手段として機能させ、
前記制御手段は、
前記変更指示入力手段により受け付けられた前記変更指示に基づいて、記前記記録媒体毎の前記補強部材の貼り付け有無の指示を変更すること、
を特徴とする請求項１５から２０のいずれか一項に記載のプログラム。
【発明の詳細な説明】
【技術分野】
【０００１】
本発明は、記録媒体を穿孔させる画像形成装置、画像形成システム及びプログラムに関する。
【背景技術】
【０００２】
近年、原稿画像を記録媒体上に形成する画像形成装置と、原稿画像が形成された記録媒体に対して、ファイル用の孔を空けるパンチ処理、ステイプル留めを行うステイプル処理及び折り処理等の後処理を施す後処理装置とを備えた画像形成システムが提供されている。
【０００３】
ファイル用の孔が空けられた記録媒体は、紐又はバインダ等で束ねられてファイルされて使用されることが多いが、この孔の部分は破れやすくいため、孔の部分を保護又は補強する装置が開発されている。
【０００４】
例えば、記録媒体のファイル用の孔を保護する多数の孔保護シールが貼り付けられたシール台紙と記録媒体とを挟んで案内するシール貼り付け手段を有する孔保護シール貼り付け装置と、ファイル用の孔を空ける穿孔手段を有するシール穿孔手段と、を備えた孔保護シールを記録媒体に貼り付ける孔保護シール貼り付けユニットを備えた画像形成装置が開示されている（特許文献１参照）。
【０００５】
押圧部材と用紙搬送面との間に用紙とシール部材を順次供給し、押圧部材でシール部材を押圧して、押圧部材の押圧形状にシール部材を切断し、その切断片を用紙に貼り付けると同時に、パンチピンで用紙と切断片に孔を空け、切断片を用紙の孔の保護シールとする用紙穿孔ユニットが開示されている（特許文献２参照）。
【０００６】
ユーザにより、予め用紙を穿孔するか否か、穿孔するときはシールを貼るか否か、シールを貼るときは表紙のみ又は全ての用紙に貼るかが設定された後、パンチピンと、穿孔後にパンチピンから用紙を引き離すための押え部材と、穿孔時に孔空け位置に孔補強シールを貼付する機構を設けたパンチピン挿入部とを有し、用紙に所定の位置で綴じ孔を空けるパンチユニットを備えた用紙穿孔装置が開示されている（特許文献３参照）。
【０００７】
用紙にパンチ穴を空ける穴開け手段と、パンチ穴の有無及びその個数を指定するための指定手段と、印刷時に穴あけ手段を駆動して、指定個数分のパンチ穴を用紙サイズに応じた位置に開ける制御手段とを具備した文書作成装置が開示されている（特許文献４参照）。
【特許文献１】特開２０００−３１８３６６号公報
【特許文献２】特開２００５−２２５６０８号公報
【特許文献３】特開平１１−１３８４９８号公報
【特許文献４】特開平９−１２３０９８号公報
【発明の開示】
【発明が解決しようとする課題】
【０００８】
しかしながら、上述した様な装置では、ユーザは、予め保護シールを貼り付ける記録媒体の設定を行わなくてはならないと共に、記録媒体毎に保護シールの貼り付けの設定を行うことができず、ユーザが所望する記録媒体のみに保護シールを貼り付けることができないという不具合が生じ、使い勝手が悪いという問題がある。
【０００９】
そこで本発明の課題としては、保護シールが貼り付けられる記録媒体の設定の煩雑化を低減させ、利便性を向上し得る画像形成装置、画像形成システム及びプログラムを提供することである。
【課題を解決するための手段】
【００１０】
請求項１に記載の発明は、記録媒体を出力させる出力要求情報の入力指示を受け付ける情報入力手段と、前記情報入力手段により受け付けられた前記出力要求情報に基づいて、記録媒体毎にファイル用の孔を補強する補強部材の貼り付け有無の指示を設定して出力する制御手段と、を備える画像形成装置であること、を特徴としている。
更に、コンピュータに対して、上述した請求項１に記載の発明に示した主要手段を機能させるためのプログラムを提供する（請求項１５に記載の発明）。
【００１１】
請求項２に記載の発明は、請求項１記載の画像形成装置において、前記出力要求情報は、前記記録媒体の斤量を示す情報を含み、前記制御手段は、予め設定された斤量以下の前記記録媒体に対して、前記補強部材の貼り付け有りの指示を設定すること、を特徴としている。
更に、コンピュータに対して、上述した請求項２に記載の発明に示した主要手段を機能させるためのプログラムを提供する（請求項１６に記載の発明）。
【００１２】
請求項３に記載の発明は、請求項１又は２記載の画像形成装置において、前記出力要求情報は、後にＺ折り処理される前記記録媒体を含むか否かを示す情報を含み、前記制御手段は、前記Ｚ折り処理される前記記録媒体に対して、前記補強部材の貼り付け有りの指示を設定すること、を特徴としている。
更に、コンピュータに対して、上述した請求項３に記載の発明に示した主要手段を機能させるためのプログラムを提供する（請求項１７に記載の発明）。
【００１３】
請求項４に記載の発明は、請求項１又は２記載の画像形成装置において、前記出力要求情報は、特殊シートである前記記録媒体を含むか否かを示す情報を含み、前記制御手段は、前記特殊シートである前記記録媒体に対して、前記補強部材の貼り付け有りの指示を設定すること、を特徴としている。
更に、コンピュータに対して、上述した請求項４に記載の発明に示した主要手段を機能させるためのプログラムを提供する（請求項１８に記載の発明）。
【００１４】
請求項５に記載の発明は、請求項１又は２に記載の画像形成装置において、前記出力要求情報は、差込シートである前記記録媒体を含むか否かを示す情報を含み、前記制御手段は、前記差込シートである前記記録媒体に対して、前記補強部材の貼り付け有りの指示を設定すること、を特徴としている。
更に、コンピュータに対して、上述した請求項５に記載の発明に示した主要手段を機能させるためのプログラムを提供する（請求項１９に記載の発明）。
【００１５】
請求項６に記載の発明は、請求項１又は２に記載の画像形成装置において、前記出力要求情報は、前記記録媒体毎のサイズを示す情報と、複数の前記記録媒体から成り、他の記録媒体のサイズと異なるサイズの記録媒体を含む記録媒体群が構成される混載モードであるか否かを示す情報と、含み、前記制御手段は、前記出力要求情報が前記混載モードであることを示す情報を含んでいると判別した場合、前記記録媒体群を構成する記録媒体のうち、最もサイズの大きい記録媒体に対して、前記補強部材の貼り付け有りの指示を設定すること、を特徴としている。
更に、コンピュータに対して、上述した請求項６に記載の発明に示した主要手段を機能させるためのプログラムを提供する（請求項２０に記載の発明）。
【００１６】
請求項７に記載の発明は、請求項１から６のいずれか一項に記載の画像形成装置において、前記制御手段により設定された前記記録媒体毎の前記補強部材の貼り付け有無の指示に対する変更指示を受け付ける変更指示入力手段を備え、前記制御手段は、前記変更指示入力手段により受け付けられた前記変更指示に基づいて、記前記記録媒体毎の前記補強部材の貼り付け有無の指示を変更すること、を特徴としている。
更に、コンピュータに対して、上述した請求項７に記載の発明に示した主要手段を機能させるためのプログラムを提供する（請求項２１に記載の発明）。
【００１７】
請求項８に記載の発明は、記録媒体を出力させる出力要求情報の入力指示を受け付ける情報入力手段、前記情報入力手段により受け付けられた前記出力要求情報に基づいて、記録媒体毎にファイル用の孔を補強する補強部材の貼り付け有無の指示を設定して出力する制御手段、を備える画像形成装置と、前記記録媒体毎にファイル用の孔を空ける穿孔手段及び当該孔を補強する補強部材を前記記録媒体に押圧して貼り付ける補強手段を有する穿孔ユニットを備え、前記画像形成装置から出力される指示に基づいて前記穿孔ユニットを駆動させる後処理装置と、を備える画像形成システムであること、を特徴としている。
【００１８】
請求項９に記載の発明は、請求項８記載の画像形成システムにおいて、前記出力要求情報は、前記記録媒体の斤量を示す情報を含み、前記制御手段は、予め設定された斤量以下の前記記録媒体に対して、前記補強部材の貼り付け有りの指示を設定すること、を特徴としている。
【００１９】
請求項１０に記載の発明は、請求項８又は９記載の画像形成システムにおいて、前記出力要求情報は、後にＺ折り処理される前記記録媒体を含むか否かを示す情報を含み、前記制御手段は、前記Ｚ折り処理される前記記録媒体に対して、前記補強部材の貼り付け有りの指示を設定すること、を特徴としている。
【００２０】
請求項１１に記載の発明は、請求項８又は９記載の画像形成システムにおいて、前記出力要求情報は、特殊シートである前記記録媒体を含むか否かを示す情報を含み、前記制御手段は、前記特殊シートである前記記録媒体に対して、前記補強部材の貼り付け有りの指示を設定すること、を特徴としている。
【００２１】
請求項１２に記載の発明は、請求項８又は９に記載の画像形成システムにおいて、前記出力要求情報は、差込シートである前記記録媒体を含むか否かを示す情報を含み、前記制御手段は、前記差込シートである前記記録媒体に対して、前記補強部材の貼り付け有りの指示を設定すること、を特徴としている。
【００２２】
請求項１３に記載の発明は、請求項８又は９に記載の画像形成システムにおいて、前記出力要求情報は、前記記録媒体毎のサイズを示す情報と、複数の前記記録媒体から成り、他の記録媒体のサイズと異なるサイズの記録媒体を含む記録媒体群が構成される混載モードであるか否かを示す情報と、含み、前記制御手段は、前記出力要求情報が前記混載モードであることを示す情報を含んでいると判別した場合、前記記録媒体群を構成する記録媒体のうち、最もサイズの大きい記録媒体に対して、前記補強部材の貼り付け有りの指示を設定すること、を特徴としている。
【００２３】
請求項１４に記載の発明は、請求項８から１３のいずれか一項に記載の画像形成システムにおいて、前記制御手段により設定された前記記録媒体毎の前記補強部材の貼り付け有無の指示に対する変更指示を受け付ける変更指示入力手段を備え、前記制御手段は、前記変更指示入力手段により受け付けられた前記変更指示に基づいて、記前記記録媒体毎の前記補強部材の貼り付け有無の指示を変更すること、を特徴としている。
【発明の効果】
【００２４】
請求項１、８、１５に記載の発明によれば、出力要求情報に基づいて記録媒体毎にファイル用の孔を補強する補強部材の貼り付けを設定することができ、ユーザが予め補強部材を貼り付ける記録媒体の設定を行う手間を省くことができるため、保護シールが貼り付けられる記録媒体の設定の煩雑化を低減させることができ、利便性を向上させることができる。
【００２５】
請求項２、９、１６に記載の発明によれば、請求項１、８、１５と同様の効果を得られるのは勿論のこと、記録媒体の斤量に基づいて補強部材の貼付有無の指示を自動的に設定することができるため、補強部材の貼付による孔の保護が必要な記録媒体をユーザが判別する手間を省くことができる。
【００２６】
請求項３、１０、１７に記載の発明によれば、請求項１又は２、８又は９、１５又は１６と同様の効果を得られるのは勿論のこと、孔の部分が破れやすいＺ折り処理される記録媒体に対して補強部材を貼付させる指示を自動的に設定することができるため、補強部材を貼付させる場合、ユーザがＺ折り処理される記録媒体か否かを判別する手間を省くことができる。
【００２７】
請求項４、１１、１８に記載の発明によれば、請求項１又は２、８又は９、１５又は１６と同様の効果を得られるのは勿論のこと、孔の部分が破れやすい特殊シートである記録媒体に対して補強部材を貼付させる指示を自動的に設定することができるため、補強部材を貼付させる場合、ユーザが特殊シートである記録媒体か否かを判別する手間を省くことができる。
【００２８】
請求項５、１２、１９に記載の発明によれば、請求項１又は２、８又は９、１５又は１６と同様の効果を得られるのは勿論のこと、孔の部分が破れやすい差込シートである記録媒体に対して補強部材を貼付させる指示を設定することができるため、補強部材を貼付させる場合、ユーザが差込シートである記録媒体か否かを判別する手間を省くことができる。
【００２９】
請求項６、１３、２０に記載の発明によれば、請求項１又は２、８又は９、１５又は１６と同様の効果を得られるのは勿論のこと、混載モードである場合における孔の部分が破れやすい最大サイズの記録媒体に対して補強部材を貼付させる指示を設定することができるため、補強部材を貼付させる場合、ユーザが最大サイズの記録媒体か否かを判別する手間を省くことができる。
【００３０】
請求項７、１４、２１に記載の発明によれば、請求項１から６、８から１３、１５から２０のいずれか一項と同様の効果を得られるのは勿論のこと、変更指示入力手段により記録媒体毎に補強部材の貼付有無を設定することができるため、ユーザが所望する記録媒体に補強部材を貼付することができる。
【発明を実施するための最良の形態】
【００３１】
以下、図を参照して本発明の実施の形態を詳細に説明する。
まず、構成を説明する。
図１に、本実施の形態における画像形成システム１の概略構成図を示す。
図１に示すように、画像形成システム１は、画像形成装置１０及び後処理装置２０から構成される。
【００３２】
本実施の形態における画像形成装置１０は、原稿から画像を読み取り、読み取った画像を記録媒体（以下、用紙と称す。）に画像形成するコピー機能や、パーソナルコンピュータ等から画像データを受信し画像データに基づいて画像を用紙上に形成して出力するプリンタ機能等を備えており、後処理装置２０は、画像形成装置１０から出力された用紙に対して、用紙毎にファイル用の孔を空けるパンチ処理、パンチ処理により空けられた孔を補強する補強部材（以下、保護シールと称す。）を用紙に押圧して貼り付けるパッチ処理、折り処理、ステイプル処理、断裁処理等の各種後処理を実現する機能を備えている。
【００３３】
画像形成装置１０は、本体制御部１１０、記憶部１１１、計時部１１２、カウント部１１３、操作表示部１１４、画像読取部１１５、プリント部１１６、給紙部１１７、用紙搬送部１１８、用紙端部検出部１１９、通信部１２０等により構成され、各部は電気的に各種データを送受信可能な構成となっている。
【００３４】
本体制御部１１０は、ＣＰＵ（Central Processing Unit）等から構成され、記憶部１１１に格納されているプログラムやデータを記憶部１１１の一時記憶領域（図示略）に展開し、当該プログラムに基づいて画像形成システム１全体の制御を行うと共に、画像形成装置１０内の各部と相互に各種情報を送受信可能に接続されており、各部からの情報を受信し、受信した情報を判断して、判断結果である動作指示等の情報を各部に出力し、各部を統括的に制御している。
【００３５】
また、本体制御部１１０は、記憶部１１１等との協働により、操作表示部１１４又は通信部１２０により受け付けられた１又は複数の用紙から成る用紙群を構成するための出力要求情報（以下、ジョブ情報と称す。）に基づいて、用紙毎にファイル用の孔を補強する保護シールの貼り付け有無の指示を設定し、設定した当該指示を通信部１２０を介して出力させる保護シール貼付設定処理を実行する制御手段としての機能を有する。
【００３６】
ジョブ情報は、用紙上に形成される画像データ及び用紙を出力させる際の各種設定情報等を含むものである。この各種設定情報には、出力される用紙の斤量を示す情報や、出力される用紙のうち、後にＺ折り処理される用紙を含むか否かを示す情報、特殊シートである用紙を含むか否かを示す情報、差込シートである用紙を含むか否かを示す情報、各用紙のサイズを示す情報及び複数の用紙から成り他の用紙のサイズと異なるサイズの用紙を含む用紙群が構成される混載モードであるか否かを示す情報等を含んでもよい。
【００３７】
本体制御部１１０は、予め設定された斤量以下の用紙に対して、保護シールの貼り付け有りの指示を設定する。予め設定された斤量は、薄紙、普通紙、厚紙等の斤量に基づいて分別される用紙の種類に応じて設定することができ、例えば、普通紙の斤量を予め設定された斤量として設定することができる。
【００３８】
本体制御部１１０は、Ｚ折り処理される用紙に対して保護シールの貼り付け有りの指示の設定、特殊シートである用紙に対して保護シールの貼り付け有りの指示の設定、差込シートである用紙に対して用紙の貼り付け有りの指示の設定を行う。また、混載モードであることを示す情報を含んでいると判別した場合には、用紙群を構成する用紙のうち最もサイズの大きい用紙に対して保護シールの貼り付け有りの指示の設定を行う。
【００３９】
更に、本体制御部１１０は、操作表示部１１４により、設定された用紙毎の保護シールの貼り付け有無の指示に対する変更指示に基づいて、用紙毎の保護シールの貼り付け有無の指示を変更する。
【００４０】
記憶部１１１は、磁気的、光学的記憶媒体若しくは半導体メモリで構成される電気的に消去及び書き換え可能な不揮発性の記憶媒体で構成されている。記憶部１１１としては、例えば、ＲＯＭ（Read Only Memory）及びＲＡＭ（Random Access Memory）の組合せ、ＨＤＤ（Hard Disk Drive）、ＥＥＰＲＯＭ（Electrically Erasable and Programmable ROM）やフラッシュメモリなどが挙げられる。
【００４１】
記憶部１１１は、画像形成システム１の統括的な制御や画像形成装置１０の各部の制御を行うための各種プログラムやデータ、本実施の形態における用紙に対して保護シールの貼り付けの有無の指示の判断を行う際に用いられる予め設定された斤量を示すデータ、後述するパンチ処理／パッチ処理の設定処理及び保護シール貼付設定処理を実行させるためのプログラムやデータ、操作表示部１１４又は通信部１２０を介して受け付けられたジョブ情報を記憶していると共に、これら各種プログラムやデータを展開させる一時記憶領域を有している。
【００４２】
計時部１１２は、本体制御部１１０からの指示に従って、後処理装置２０へ出力する情報の出力タイミングや各部の制御タイミングを計る。
【００４３】
カウント部１１３は、給紙部１１７から給紙された用紙の数や、画像形成装置１０の外部に排出された用紙の数を計数する。
【００４４】
操作表示部１１４は、テンキー、電源スイッチ等の各種操作キーを備え、これらのキーの操作信号を本体制御部１１０に出力する。また、操作表示部１１４は、ＬＣＤ（Liquid Crystal Display）画面及びタッチパネルを有し、本体制御部１１０から入力される表示信号の指示に従って、ＬＣＤ画面上に各種操作ボタンや、装置の状態表示、各機能の動作状況などの表示を行うと共に、電磁誘導式、磁気歪式、感圧式等の座標読み取り原理でタッチ指示された座標を検出し、検出した座標を操作信号として本体制御部１１０に出力する。
【００４５】
また、操作表示部１１４を構成するＬＣＤ画面上に表示される操作画面及びタッチパネル、各種操作キーにより、ジョブ情報の入力指示を受け付ける情報入力手段としての機能と、設定された用紙毎の保護シールの貼り付け有無の指示に対する変更指示を受け付ける変更指示入力手段としての機能を有する。
【００４６】
画像読取部１１５は、ＡＤＦ（Auto Document Feeder）と称される自動原稿送り部と読取部とを備える。自動原稿送り部により、原稿トレイに積載される原稿は、最上部から順に原稿の読取個所であるコンタクトガラスに密着されながら通過され、コンタクトガラスを通過して読み取り完了後、排紙トレイに排出される。
【００４７】
また、光源、レンズ、コンタクトガラス、ＣＣＤ（Charge Coupled Device）等からなるスキャナを備えて構成された読取部により、原稿に照射した光の反射光が結像されて光電変換されることにより原稿の画像が読み取られ、読み取られた原稿画像（アナログ画像信号）が本体制御部１１０に出力され、本体制御部１１０においてＡ／Ｄ変換され各種画像処理が施された後、プリントデータとしてプリント部１１６に出力される。ここで、画像とは、図形や写真等のイメージデータに限らず、文字や記号等のテキストデータ等も含む意である。
【００４８】
プリント部１１６は、入力されたプリントデータに基づいて、電子写真方式の画像形成を行うものであり、画像形成部、クリーニング部と、定着装置等を備えて構成される。
【００４９】
画像形成部は、感光体ドラム、帯電装置、レーザ光を出力するレーザ出力部とレーザ光を主走査方向に走査させるポリゴンミラーとを有する露光装置、現像装置、転写装置を備えている。画像形成部により、帯電装置により帯電された感光体ドラムに露光装置でプリントデータに基づいてレーザ光が照射され静電潜像が形成され、そして、静電潜像が形成された感光体ドラムの表面に帯電したトナーが付着されて静電潜像（トナー像）が形成され、転写装置においてトナー像が用紙に転写される。
【００５０】
クリーニング部は、用紙にトナー像が転写された後、感光体ドラムの表面の残留電荷や残留トナー等を除去する。定着装置は、用紙に転写されたトナー像を加熱により定着させる。
【００５１】
給紙部１１７は、用紙の斤量やサイズに基づいて区別された種類毎に予め識別された規格用紙や特殊シートが収容された複数の用紙トレイ、ユーザのニーズに合わせて様々な種類の用紙や差込シートをその都度積載可能である手差トレイを備え、給紙ローラによって用紙トレイ又は手差トレイに収容された用紙等が最上部から一枚ずつ用紙搬送部１１８に向けて搬送する。
【００５２】
特殊シートとは、所定の順序で配列されて１セットの特殊シート群を構成するものである。例えば、タブ紙やカラーシートを挙げることができる。差込シートとは、予め画像が形成された用紙である。なお、本実施の形態においては、規格用紙、特殊シート、差込シートを総称して用紙と呼ぶ。
【００５３】
用紙搬送部１１８は、給紙部１１７の用紙トレイ又は手差トレイから搬送された用紙を、複数の中間ローラ、レジストローラ、排紙ローラによって挟持して排紙トレイ上に排紙させ、用紙端部検出部１１９は、画像形成装置１０から排紙される用紙を検出する。
【００５４】
通信部１２０は、モデム、ＴＡ（Terminal Adapter）やルータ等によって構成され、後処理装置２０やネットワーク等により接続された外部機器との通信の制御を行い、外部機器から入力されるジョブ情報の入力指示を受け付ける情報入力手段としての機能を有する。
【００５５】
後処理装置２０は、後処理制御部２１０と、記憶部２１１と、通信部２１２と、穿孔ユニット２２０、折りユニット２３０、ソートユニット（不図示）、ステイプルユニット（不図示）、断裁ユニット（不図示）等の各種後処理ユニットと、当該各種後処理ユニットへ用紙を搬送する搬送ローラ等の搬送手段とが設けられており、各種後処理ユニットは後処理制御部２１０により統括的に制御されている。
【００５６】
後処理制御部２１０は、ＣＰＵ等から構成され、記憶部２１１に格納されているプログラムやデータを記憶部２１１の一時記憶領域（不図示）に展開し、当該プログラムに基づいて、本体制御部１１０から通信部１２０及び通信部２１２を介して入力される後処理の指示信号に応じて用紙を搬送経路に沿って所定の後処理ユニットに搬送し、各部を駆動制御して用紙に所定の後処理を行わせ、所定の排紙トレイに排出する制御を行う。
【００５７】
記憶部２１１は、後処理装置２０の各部の制御を行うための各種プログラムやデータを記憶していると共に、これら各種プログラムやデータを展開させる一時記憶領域を有している。
【００５８】
通信部２１２は、モデム、ＴＡ（Terminal Adapter）やルータ等によって構成され、画像形成装置１０との通信の制御を行う。
【００５９】
穿孔ユニット２２０は、パンチ処理及びパッチ処理を行い、用紙毎にファイル用の孔を空ける穿孔部及び当該孔を補強する保護シールを用紙に押圧して貼り付ける補強部、保護シールを所定位置に搬送させる搬送部を有し、穿孔部を駆動させるパンチ駆動部２２１、補強部を駆動させるパッチ駆動部２２２、搬送部を駆動させる保護シール搬送駆動部２２３等を備えて構成している。
【００６０】
図２〜図５に、穿孔ユニット２２０の概略断面図を示す。
図２に示す穿孔ユニット２２０の概略断面図は、穿孔ユニット２２０が駆動される前（穿孔前）の初期状態を示している。
【００６１】
図２〜図５に示すように、穿孔ユニット２２０の穿孔部は、第１駆動モータＭ１、第１駆動モータＭ１の回転軸と接続された第１駆動軸２２０ａ、第１駆動軸２２０ａに接続されたクラッチ２２０ｂ、第１駆動軸２２０ａ及びクラッチ２２０ｂに接続可能な第１ギア２２０ｃ、第１駆動軸２２０ａに接続された第１カム（偏芯カム）２２０ｄ、第１カム２２０ｄの回転に伴って下降し用紙Ｐに孔を空ける穿孔部材２２０ｅ、第１カム２２０ｄの回転に伴って穿孔部材２２０ｅを反発力により上昇させる第１バネ２２０ｆ等から構成される。
【００６２】
穿孔ユニット２２０の補強部は、第１ギア２２０ｃと接続された第２ギア２２０ｇ、第２ギア２２０ｇの回転軸と接続された第２駆動軸２２０ｈ、第２駆動軸２２０ｈに接続された第２カム（偏芯カム）２２０ｉ、第２カム２２０ｉの回転に伴って下降し保護シール２２０ｊをカッタ２２０ｋにより切断させて用紙Ｐに押圧させて貼付させる押圧部材２２０ｌ、第２カム２２０ｉの回転に伴って押圧部材２２０ｌを反発力により上昇させる第２バネ２２０ｍ、保護シール２２０ｊが用紙Ｐに押圧される際に用紙を支持する用紙支持部材２２０ｎ等から構成される。
【００６３】
押圧部材２２０ｌは、中空柱の形状であり、中空内部に穿孔部材２２０ｅが移動可能に設けられている。
【００６４】
穿孔ユニット２２０の搬送部は、ロール状に巻かれ用紙と対向する面に接着剤が塗布された帯状の保護シール２２０ｊを、用紙上方に搬送させる複数の保護シール搬送ローラ２２０ｐ、穿孔部材２２０ｅにより一部が切断された保護シール２２０ｊを巻き取る巻取ローラ２２０ｑ、巻取ローラ２２０ｑを駆動させる第２駆動モータＭ２等から構成される。
【００６５】
図３に示す穿孔ユニット２２０の概略断面図は、穿孔ユニット２２０が駆動され、保護シール２２０ｊの一部が切断され用紙Ｐに貼付けられた状態を示している。
【００６６】
図３に示すように、まず第２駆動モータＭ２が駆動され、所定量の保護シール２２０ｊが巻取ローラ２２０ｑによって巻き取られ、所定量の保護シール２２０ｊが巻取ローラ２２０ｑに巻き取られた後、第２駆動モータＭ２が停止される。その後、第１駆動モータＭ１が駆動され、クラッチ２２０ｂにより第１ギア２２０ｃと第１駆動軸２２０ａが連結され、第２ギア２２０ｇが駆動されることに伴って第２カム２２０ｉが回転し、押圧部材２２０ｌが下降する。押圧部材２２０ｌの下降により保護シール２２０ｊの一部がカッタ２２０ｋにより切断され、切断された保護シール２２０ｊが用紙Ｐに押圧されて貼付される。また、第１駆動モータＭ１が駆動されるため、第１カム２２０ｄが回転され、第１カム２２０ｄの回転に伴って、穿孔部材２２０ｅが下降し始める。
【００６７】
図４に示す穿孔ユニット２２０の概略断面図は、穿孔ユニット２２０が駆動され、図３に示す保護シール２２０ｊが貼付された用紙Ｐが穿孔された状態を示している。
【００６８】
図４に示すように、第１駆動モータＭ１が駆動されることにより、第１カム２２０ｄが回転され、第１カム２２０ｄの回転に伴って、穿孔部材２２０ｅが下降し、保護シール２２０ｊが貼付された用紙Ｐが穿孔される。一方、第２カム２２０ｉの回転と第２バネ２２０ｍの反発力により押圧部材２２０ｌが上昇する。
【００６９】
図５に示す穿孔ユニット２２０の概略断面図は、穿孔ユニット２２０が駆動され、図４に示す保護シール２２０ｊが貼付され穿孔されることにより、用紙Ｐ上に孔Ｈを保護する保護シールＳが貼付された用紙Ｐが穿孔ユニット２２０後段の処理に搬送される状態を示している。
【００７０】
図５に示すように、第１駆動モータＭ１が駆動されることにより、第２カム２２０ｉの回転と第２バネ２２０ｍの反発力により押圧部材２２０ｌが上昇して初期状態の位置に戻ると共に、第１カム２２０ｄの回転と第１バネ２２０ｆの反発力により穿孔部材２２０ｅが上昇し、穿孔部材２２０ｅが初期状態の位置に戻ると第１駆動モータが停止される。また、用紙Ｐを搬送する搬送ローラが駆動され、用紙Ｐが穿孔ユニット２２０後段の処理に搬送される。
【００７１】
折りユニット２３０は、本体制御部１１０から通信部１２０及び通信部２１２を介して入力された指示及び後処理制御部２１０からの指示に基づいて、用紙をＺ折り，中折り等の折り処理を行う。
【００７２】
次に、本実施の形態の動作を説明する。
図６〜図１１を参照して、本実施の形態におけるパンチ処理及びパッチ処理の設定動作を説明する。図６に、パンチ処理／パッチ処理の設定処理のフローチャートを示し、図７に、保護シール貼付設定処理のフローチャートを示す。また、図８〜図１１に、パンチ処理／パッチ処理の設定処理において操作表示部１１４に表示される各種操作画面例を示す。なお、図６及び図７に示すフローチャートは、本体制御部１１０により実行されるものである。
【００７３】
まず、本体制御部１１０は、ジョブ情報を受け付けた後、当該ジョブ情報に対する後処理モード設定画面を操作表示部１１４に表示させ、当該ジョブ情報にはパンチ処理が設定された否か（即ち、当該ジョブ情報が実行されることにより出力される用紙を穿孔するか否か）を判別する（ステップＳ１）。
【００７４】
図８に、後処理モード設定画面Ｇ１の例を示す。
図８に示す後処理モード設定画面Ｇ１は、ユーザに対して、用紙の排紙トレイの選択指示を受け付ける排紙トレイ選択エリアＧ１１、排紙トレイへ排紙される用紙の状態（例えば、ソート、グループ、仕分け）の選択指示を受け付ける排紙状態選択エリアＧ１２、後処理の選択指示を受け付ける後処理選択エリアＧ１３を有する。
【００７５】
後処理選択エリアＧ１３は、ステイプル処理よりステイプルされる位置の選択指示を受け付けるコーナー釦Ｂ１１ａ，２点釦Ｂ１１ｂ、パンチ処理によって穿孔される孔の数の選択指示を受け付ける２孔釦Ｂ１２ａ，３孔釦Ｂ１２ｂ、パンチ処理が選択された際（２孔釦Ｂ１２ａ又は３孔釦Ｂ１２ｂが選択された際）に選択可能となりパッチ処理の有無の選択指示を受け付けるパッチ釦Ｂ１３を有する。
【００７６】
本体制御部１１０は、２孔釦Ｂ１２ａ又は３孔釦Ｂ１２ｂが選択されか否かを判別することにより、パンチ処理が設定された否か（即ち、当該ジョブ情報が実行されることにより出力される用紙を穿孔するか否か）を判別する。
【００７７】
本体制御部１１０は、２孔釦Ｂ１２ａ及び３孔釦Ｂ１２ｂが選択されずＯＫ釦Ｂ１４が選択された場合には、パンチ処理が設定されない（即ち、当該ジョブ情報が実行されることにより出力される用紙には穿孔しない）と判別し（ステップＳ１；Ｎｏ）、当該ジョブ情報には穿孔動作（パンチ処理）を設定せずに（ステップＳ２）、本処理を終了させる。
【００７８】
図９に、ユーザにより２孔釦Ｂ１２ａが選択された後処理モード設定画面Ｇ１の例を示す。本体制御部１１０は、２孔釦Ｂ１２ａ又は３孔釦Ｂ１２ｂが選択されたと判別した場合（ここでは、２孔釦Ｂ１２ａが選択されたと判別。）（ステップＳ１；Ｙｅｓ）、当該ジョブ情報にはパッチ処理が設定された否か（即ち、当該ジョブ情報が実行されることにより出力される用紙に保護シールを貼付するか否か）を判別する（ステップＳ３）。
【００７９】
本体制御部１１０は、パッチ釦Ｂ１３が選択されずＯＫ釦Ｂ１４が選択された場合には、パッチ処理が設定されない（即ち、当該ジョブ情報が実行されることにより出力される用紙には保護シールを貼付しない）と判別し（ステップＳ３；Ｎｏ）、当該ジョブ情報には穿孔動作（パンチ処理）のみを設定し（ステップＳ４）、本処理を終了させる。
【００８０】
本体制御部１１０は、パッチ釦Ｂ１３が選択されたと判別した場合（ステップＳ３；Ｙｅｓ）、貼付設定選択画面を操作表示部１１４に表示させ、貼付設定として自動設定が選択されたか否かを判別する（ステップＳ５）。
【００８１】
図１０に、貼付設定選択画面Ｇ２の例を示す。
図１０に示すように、パッチ釦Ｂ１３が選択されることにより表示される貼付設定選択画面Ｇ２は、本体制御部１１０により自動的に保護シールを貼付する用紙を設定する指示を受け付ける自動設定釦Ｂ２１、ユーザにより保護シールを貼付する用紙の設定及び本体制御部１１０により設定された保護シールを貼付する用紙の設定変更を行う動作に移る指示を受け付ける編集釦Ｂ２２、当該ジョブ情報が実行されることにより出力される全用紙に保護シールを貼付する指示を受け付ける全用紙釦Ｂ２３を有する。
【００８２】
本体制御部１１０は、自動設定釦Ｂ２１が選択されたと判別した場合、貼付設定として自動設定が選択されたと判別し（ステップＳ５；Ｙｅｓ）、保護シール貼付設定処理が実行され（ステップＳ６）、ステップＳ６により保護シールが貼付される用紙の番号（以下、用紙番号と称す。）を貼付用紙番号として記憶部１１１に記憶させ（ステップＳ７）、本処理を終了させる。
【００８３】
用紙番号とは、当該ジョブ情報に基づいた処理が実行されることにより出力される用紙を識別するための番号であって、穿孔ユニット２２０に搬送される用紙の順番を示す番号である。
【００８４】
本体制御部１１０は、自動設定釦Ｂ２１が選択されていないと判別した場合（ステップ５；Ｎｏ）、編集釦Ｂ２２が選択されたか否かを判別する（ステップＳ８）。
【００８５】
本体制御部１１０は、編集釦Ｂ２２が選択されたと判別した場合（ステップＳ８；Ｙｅｓ）、記憶部１１１に記憶されている貼付用紙番号を読み出し（ステップＳ９）、貼付用紙編集画面を操作表示部１１４に表示させ、貼付用紙編集画面上に表示された各種釦及びテンキー等により貼付用紙番号の変更指示を受け付け、貼付用紙番号の編集処理を実行させる（ステップＳ１０）。
【００８６】
図１１に、貼付用紙編集画面Ｇ３の例を示す。
図１１に示すように、貼付用紙編集画面Ｇ３は、記憶部１１１に記憶されている貼付用紙番号を表示する貼付用紙番号釦Ｂ３１を複数有する貼付用紙番号編集エリアＧ３１、選択された貼付用紙番号釦Ｂ３１の設定を確定させる確定釦Ｂ３２、選択された貼付用紙番号釦Ｂ３１の設定を削除させる削除釦Ｂ３３等を有する。
【００８７】
本体制御部１１０は、貼付用紙編集画面Ｇ３及びテンキー等から受け付けられた指示に従って、貼付用紙番号釦Ｂ３１が表示する貼付用紙番号を、テンキーから受け付けられた値に変更又は追加したり、削除釦Ｂ３３が選択されることにより削除したりする。
【００８８】
このように、貼付用紙編集画面Ｇ３及びテンキー等により用紙毎に保護シールの貼付有無を設定することができるため、ユーザが所望する用紙に保護シールを貼付させることができる。
【００８９】
本体制御部１１０は、貼付用紙編集画面Ｇ３のＯＫ釦Ｂ３４が選択されたか否かを判別し、編集処理を終了するか否かを判別する（ステップＳ１１）。
【００９０】
本体制御部１１０は、ＯＫ釦Ｂ３４が選択されていないと判別した場合（ステップＳ１１；Ｎｏ）、ステップＳ９に戻る。
【００９１】
本体制御部１１０は、ＯＫ釦Ｂ３４が選択されたと判別した場合、即ち、編集処理を終了すると判別した場合（ステップＳ１１；Ｙｅｓ）、編集処理後の貼付用紙番号を記憶部１１１に記憶させ（ステップＳ１２）、本処理を終了させる。
【００９２】
本体制御部１１０は、編集釦Ｂ２２が選択されていないと判別した場合（ステップＳ８；Ｎｏ）、全用紙釦Ｂ２３が選択されているか否かを判別する（ステップＳ１３）。
【００９３】
本体制御部１１０は、全用紙釦Ｂ２３が選択されていないと判別した場合（ステップＳ１３；Ｎｏ）、ステップＳ５に戻る。
【００９４】
本体制御部１１０は、全用紙釦Ｂ２３が選択されたと判別した場合（ステップＳ１３；Ｙｅｓ）、当該ジョブ情報が実行されることにより出力される全用紙に保護シールを貼付させる指示を設定し、全用紙の用紙番号を貼付用紙番号として記憶部１１１に記憶させ（ステップＳ１４）、本処理を終了させる。
【００９５】
図７を参照して、図６のステップＳ６における保護シール貼付設定処理を説明する。
本体制御部１１０は、貼付設定として自動設定が選択されたジョブ情報には、後にＺ折り処理される用紙を含むＺ折りモードが設定されているか否かを判別し（ステップＳ２１）、Ｚ折りモードが設定されていないと判別した場合（ステップＳ２１；Ｎｏ）、ステップＳ２４に進む。
【００９６】
本体制御部１１０は、Ｚ折りモードが設定されていると判別した場合（ステップＳ２１；Ｙｅｓ）、当該ジョブ情報においてＺ折り処理される用紙の斤量は予め設定された斤量以下か否か（ここでは、用紙の斤量に基づいて分別される用紙の種類は、薄紙又は普通紙であるか否か。）を判別する（ステップＳ２２）。
【００９７】
本体制御部１１０は、当該ジョブ情報においてＺ折り処理される用紙の斤量は予め設定された斤量よりも大きい（ここでは、用紙の斤量に基づいて分別される用紙の種類は、薄紙及び普通紙でない）と判別した場合（ステップＳ２２；Ｎｏ）、ステップＳ２４に進む。
【００９８】
本体制御部１１０は、当該ジョブ情報においてＺ折り処理される用紙の斤量は予め設定された斤量以下である（ここでは、用紙の斤量に基づいて分別される用紙の種類は、薄紙又は普通紙である。）と判別した場合（ステップＳ２２；Ｙｅｓ）、Ｚ折りされる用紙の用紙番号を貼付用紙番号として記憶部１１１に記憶させ（ステップＳ２３）、ステップＳ２４に進む。
【００９９】
本体制御部１１０は、ステップＳ２１；Ｎｏ、ステップＳ２２；Ｎｏ、ステップＳ２３のいずれかの後、当該ジョブ情報が実行されることにより出力される用紙として、特殊シートを含む旨を示すインターシートモードが設定されているか否かを判別し（ステップＳ２４）、インターシートモードが設定されていないと判別した場合（ステップＳ２４；Ｎｏ）、ステップＳ２７に進む。
【０１００】
本体制御部１１０は、インターシートモードが設定されていると判別した場合（ステップＳ２４；Ｙｅｓ）、当該ジョブ情報において特殊シートの斤量は予め設定された斤量以下か否か（ここでは、特殊シートの斤量は薄紙又は普通紙と同じであるか否か。）を判別する（ステップＳ２５）。
【０１０１】
本体制御部１１０は、当該ジョブ情報において特殊シートの斤量は予め設定された斤量よりも大きい（ここでは、特殊シートの斤量は薄紙又は普通紙とは異なる。）と判別した場合（ステップＳ２５；Ｎｏ）、ステップＳ２７に進む。
【０１０２】
本体制御部１１０は、当該ジョブ情報において特殊シートの斤量は予め設定された斤量以下である（ここでは、特殊シートの斤量は薄紙又は普通紙と同じである。）と判別した場合（ステップＳ２５；Ｙｅｓ）、特殊シートの用紙番号を貼付用紙番号として記憶部１１１に記憶させ（ステップＳ２３）、ステップＳ２７進む。
【０１０３】
本体制御部１１０は、ステップＳ２４：Ｎｏ、ステップＳ２５；Ｎｏ、ステップＳ２６のいずれかの後、当該ジョブ情報が実行されることにより出力される用紙として、差込シートを含む旨を示す差込シートモードが設定されているか否かを判別し（ステップＳ２７）、差込シートモードが設定されていないと判別した場合（ステップＳ２７；Ｎｏ）、ステップＳ３０に進む。
【０１０４】
本体制御部１１０は、差込シートモードが設定されていると判別した場合（ステップＳ２７；Ｙｅｓ）、当該ジョブ情報において差込シートの斤量は予め設定された斤量以下か否か（ここでは、差込シートの斤量は薄紙又は普通紙と同じであるか否か。）を判別する（ステップＳ２８）。
【０１０５】
本体制御部１１０は、当該ジョブ情報において差込シートの斤量は予め設定された斤量よりも大きい（ここでは、差込シートの斤量は薄紙又は普通紙とは異なる。）と判別した場合（ステップＳ２８；Ｎｏ）、ステップＳ３０に進む。
【０１０６】
本体制御部１１０は、当該ジョブ情報において差込シートの斤量は予め設定された斤量以下である（ここでは、差込シートの斤量は薄紙又は普通紙と同じである。）と判別した場合（ステップＳ２８；Ｙｅｓ）、差込シートの用紙番号を貼付用紙番号として記憶部１１１に記憶させ（ステップＳ２９）、ステップＳ３０進む。
【０１０７】
本体制御部１１０は、ステップＳ２７；Ｎｏ、ステップＳ２８；Ｎｏ、ステップＳ２９のいずれかの後、当該ジョブ情報には混載モードが設定されているか否かを判別し（ステップＳ３０）、混載モードが設定されていないと判別した場合（ステップＳ３０；Ｎｏ）、ステップＳ３３に進む。
【０１０８】
本体制御部１１０は、混載モードが設定されていると判別した場合（ステップＳ３０；Ｙｅｓ）、当該ジョブ情報が実行されることにより出力される用紙のうち最もサイズの大きい用紙の斤量は予め設定された斤量以下か否か（ここでは、用紙の斤量に基づいて分別される用紙の種類は、薄紙又は普通紙であるか否か。）を判別する（ステップＳ３１）。
【０１０９】
本体制御部１１０は、当該ジョブ情報が実行されることにより出力される用紙のうち最もサイズの大きい用紙の斤量は予め設定された斤量よりも大きい（ここでは、用紙の斤量に基づいて分別される用紙の種類は、薄紙及び普通紙でない。）と判別した場合（ステップＳ３１；Ｎｏ）、ステップＳ３３に進む。
【０１１０】
本体制御部１１０は、当該ジョブ情報が実行されることにより出力される用紙のうち最もサイズの大きい用紙の斤量は予め設定された斤量以下（ここでは、用紙の斤量に基づいて分別される用紙の種類は、薄紙又は普通紙である。）と判別した場合（ステップＳ３１；Ｙｅｓ）、最もサイズの大きい用紙の用紙番号を貼付用紙番号として記憶部１１１に記憶させ（ステップＳ３２）、ステップＳ３３進む。
【０１１１】
本体制御部１１０は、ステップＳ３０；Ｎｏ、ステップＳ３１；Ｎｏ、ステップＳ３２のいずれかの後、当該ジョブ情報には全ての用紙を予め設定された斤量以下の用紙（ここでは、薄紙）で出力させる薄紙モードが設定されているか否かを判別し（ステップＳ３３）、薄紙モードが設定されていないと判別した場合（ステップＳ３３；Ｎｏ）、ステップＳ３５に進む。
【０１１２】
本体制御部１１０は、薄紙モードが設定されていると判別した場合（ステップＳ３３；Ｙｅｓ）、当該ジョブ情報が実行されることにより出力される全ての用紙の用紙番号を貼付用紙番号として記憶部１１１に記憶させ（ステップＳ３４）、ステップＳ３５進む。
【０１１３】
本体制御部１１０は、ステップＳ３３；Ｎｏ又はステップＳ３４の後、記憶部１１１に当該ジョブ情報における貼付用紙番号が記憶されているか否かを判別し（ステップＳ３５）、貼付用紙番号が記憶されていると判別した場合（ステップＳ３５；Ｙｅｓ）、本処理を終了させる。
【０１１４】
本体制御部１１０は、記憶部１１１に当該ジョブ情報における貼付用紙番号が記憶されていないと判別した場合（ステップＳ３５；Ｎｏ）、当該ジョブ情報が実行されることにより出力される用紙のうち、先頭の用紙番号と最終の用紙番号を貼付用紙番号として記憶部１１１に記憶させ（ステップＳ３６）、本処理を終了させる。
【０１１５】
ステップＳ３５及びＳ３６において、当該ジョブ情報にはパンチ処理が設定されていることから、先頭の用紙番号の用紙に空けられた孔と最終の用紙番号の用紙に空けられた孔に保護シールを貼付するよう設定することにより、当該ジョブ情報が実行されることにより出力される用紙群に空けられた各孔の保護に配慮して設定するものである。
【０１１６】
以上のように、本実施の形態によれば、保護シールを貼付させる場合、用紙の斤量に基づいて保護シールの貼付有無の指示を自動的に設定することができ、また、孔の部分が破れやすいＺ折り処理される用紙か否か、特殊シートである用紙か否か、差込シートである用紙か否か、混載モードである場合における最大サイズの用紙か否か、の判別をユーザが行わずとも当該判別結果に応じて保護シールを貼付させる指示を自動的に設定することができる。そのため、保護シールの貼付による孔の保護が必要な用紙をユーザが判別する手間を省くことができる。
【０１１７】
従って、ジョブ情報に基づいて用紙毎にファイル用の孔を補強する保護シールの貼り付けを設定することができ、ユーザが予め保護シールを貼り付ける用紙の設定を行う手間を省くことができるため、保護シールが貼り付けられる用紙の設定の煩雑化を低減させることができ、利便性を向上させることができる。
【０１１８】
また、本発明は、上記実施の形態の内容に限定されるものではなく、本発明の主旨を逸脱しない範囲で適宜変更可能である。
【図面の簡単な説明】
【０１１９】
【図１】本実施の形態における画像形成システム１の概略構成図である。
【図２】穿孔ユニット２２０が駆動される前（穿孔前）の初期状態の穿孔ユニット２２０の概略断面図である。
【図３】穿孔ユニット２２０が駆動され、保護シール２２０ｊが切断され用紙Ｐに貼付けられた状態の穿孔ユニット２２０の概略断面図である。
【図４】図３に示す保護シール２２０ｊが貼付された用紙Ｐが穿孔された状態の穿孔ユニット２２０の概略断面図である。
【図５】図４に示す保護シール２２０ｊが貼付され穿孔された用紙Ｐが穿孔ユニット２２０後段の処理に搬送される状態の穿孔ユニット２２０の概略断面図である。
【図６】パッチ処理及びパンチ処理の設定処理のフローチャートである。
【図７】保護シール貼付設定処理のフローチャートである。
【図８】後処理モード設定画面Ｇ１の例である。
【図９】ユーザにより２孔釦１２ａが選択された後処理モード設定画面Ｇ１の例である。
【図１０】貼付設定選択画面Ｇ２の例である。
【図１１】貼付用紙編集画面Ｇ３の例である。
【符号の説明】
【０１２０】
１  画像形成システム
１０  画像形成装置
２０  後処理装置
１１０  本体制御部
１１１  記憶部
１１２  計時部
１１３  カウント部
１１４  操作表示部
１１５  画像読取部
１１６  プリント部
１１７  給紙部
１１８  用紙搬送部
１１９  用紙端部検出部
１２０  通信部
２１０  後処理制御部
２１１  記憶部
２１２  通信部
２２０  穿孔ユニット
２２０ａ  第１駆動軸
２２０ｂ  クラッチ
２２０ｃ  第１ギア
２２０ｄ  第１カム
２２０ｅ  穿孔部材
２２０ｆ  第１バネ
２２０ｇ  第２ギア
２２０ｈ  第２駆動軸
２２０ｉ  第２カム
２２０ｊ、Ｓ  保護シール
２２０ｋ  カッタ
２２０ｌ  押圧部材
２２０ｍ  第２バネ
２２０ｎ  用紙支持部材
２２０ｐ  保護シール搬送ローラ
２２０ｑ  巻取ローラ
２２１  パンチ駆動部
２２２  パッチ駆動部
２２３  保護シール搬送駆動部
２３０  折りユニット
Ｂ１１ａ  コーナー釦
Ｂ１１ｂ  ２点釦
Ｂ１２ａ  ２孔釦
Ｂ１２ｂ  ３孔釦
Ｂ１３  パッチ釦
Ｂ１４  ＯＫ釦
Ｂ２１  自動設定釦
Ｂ２２  編集釦
Ｂ２３  全用紙釦
Ｂ３１  貼付用紙番号釦
Ｂ３２  確定釦
Ｂ３３  削除釦
Ｂ３４  ＯＫ釦
Ｇ１  後処理モード設定画面
Ｇ１１  排紙トレイ選択エリア
Ｇ１２  排紙状態選択エリア
Ｇ１３  後処理選択エリア
Ｇ２  貼付設定選択画面
Ｇ３  貼付用紙編集画面
Ｇ３１  貼付用紙番号編集エリア
Ｍ１  第１駆動モータ
Ｍ２  第２駆動モータ
Ｐ  用紙
【図１】
2008001436.tif 000003
【図２】
2008001436.tif 000004
【図３】
2008001436.tif 000005
【図４】
2008001436.tif 000006
【図５】
2008001436.tif 000007
【図６】
2008001436.tif 000008
【図７】
2008001436.tif 000009
【図８】
2008001436.tif 000010
【図９】
2008001436.tif 000011
【図１０】
2008001436.tif 000012
【図１１】
2008001436.tif 000013